(57)【要約】【課題】  簡単で安価な構成でＥＭＩ放射の低減を図ることができる画像読取装置を提供する。【解決手段】  導電性を有する芯２４の外周が被覆層２５で被覆されたワイヤ１４を原稿画像の読み取りに用いる光源を搭載した走行体１１に連結し、ワイヤ１４を移動させることにより走行体１１を原稿に沿って移動させる構成において、ワイヤ１４の走行体１１に連結されている部分では、芯２４を露出させて走行体１１に直接接触させる。【選択図】    図３
2005266268.tif 000002
【特許請求の範囲】
【請求項１】
原稿画像の読み取りに用いる光源を搭載した走行体を原稿に沿って移動させて原稿画像の読み取りを実行する画像読取装置において、
導電性を有する芯の外周が被覆層で被覆され前記走行体に連結されたワイヤを有し、駆動源からの駆動によって前記ワイヤを移動させて前記走行体を移動させる駆動機構を備え、
前記ワイヤの前記走行体に連結されている部分では、前記芯が露出されて前記走行体に直接接触している、ことを特徴とする画像読取装置。
【請求項２】
前記走行体及び前記駆動機構を内部に収納する筐体を備え、
前記ワイヤの少なくとも一方の端部が前記筐体に電気的に接続されている、ことを特徴とする請求項１記載の画像読取装置。
【請求項３】
前記ワイヤの両端部が前記筐体に電気的に接続されていることを特徴とする請求項２記載の画像読取装置。
【請求項４】
請求項１ないし３の何れか一記載の画像読取装置と、
この画像読取装置が読み取った原稿画像に基づいた画像を電子写真方式で記録材上に形成するプリンタ装置と、
を備えることを特徴とする複写装置。
【発明の詳細な説明】
【技術分野】
【０００１】
本発明は、画像読取装置及び複写装置に関する。
【背景技術】
【０００２】
従来、原稿の画像を読み取るための光学系部品のうち光源，ミラーを搭載した走行体を、所定方向に往復移動させることにより、原稿の画像を露光走査するようにした画像読取装置がある。
【０００３】
このような画像読取装置には、ワイヤとプーリとの組み合わせによる駆動機構をモータによって駆動することにより、ワイヤに連結された走行体を往復移動させるようにしたものがある。このようなワイヤは、例えば金属製の芯の外周に被覆層が形成されたものである。
【発明の開示】
【発明が解決しようとする課題】
【０００４】
近年、画像の高品質化に伴い、画像読取装置の光源の明るさは増加傾向の一途である。このように光源の明るさが増大すると、ノイズも増大するため、ＥＭＩ（Electric Magnetic Interference）放射も増大する傾向にある。
【０００５】
このＥＭＩ放射を低減させる対策として、光源を搭載した走行体を画像読取装置の筐体へ接地（アース）させるためにフレキシブルケーブルやアース用電線を設け、ノイズを筐体側へ逃がしてＥＭＩ放射の低減を図っているものがある。また、別の対策として、光源へ接続される電源ケーブルにフェライトコアを入れてＥＭＩ放射の低減を図っているものがある。
【０００６】
しかしながら、これらのＥＭＩ放射対策では、画像読取動作の機能として必要ではない特別な構成を追加する必要があるので、構造が複雑になり、コストが増大するという問題がある。
【０００７】
本発明の目的は、簡単で安価な構成でＥＭＩ放射の低減を図ることができる画像読取装置及び複写装置を提供することである。
【課題を解決するための手段】
【０００８】
請求項１記載の発明は、原稿画像の読み取りに用いる光源を搭載した走行体を原稿に沿って移動させて原稿画像の読み取りを実行する画像読取装置において、導電性を有する芯の外周が被覆層で被覆され前記走行体に連結されたワイヤを有し、駆動源からの駆動によって前記ワイヤを移動させて前記走行体を移動させる駆動機構を備え、前記ワイヤの前記走行体に連結されている部分では、前記芯が露出されて前記走行体に直接接触している。
【０００９】
請求項２記載の発明は、請求項１記載の画像読取装置において、前記走行体及び前記駆動機構を内部に収納する筐体を備え、前記ワイヤの少なくとも一方の端部が前記筐体に電気的に接続されている。
【００１０】
請求項３記載の発明の複写装置は、請求項２記載の画像読取装置において、前記ワイヤの両端部が前記筐体に電気的に接続されている。
【００１１】
請求項４記載の発明は、請求項１ないし３の何れか一記載の画像読取装置と、この画像読取装置が読み取った原稿画像に基づいた画像を電子写真方式で記録材上に形成するプリンタ装置と、を備える。
【発明の効果】
【００１２】
本発明によれば、走行体を移動させる駆動機構のワイヤによって光源からのノイズが逃げるので、簡単で安価な構成で、画像読取装置及び複写装置でのＥＭＩ放射の低減を図ることができる。
【発明を実施するための最良の形態】
【００１３】
本発明の第１の実施の形態を図１ないし図４に基づいて説明する。
【００１４】
図１は本実施の形態の画像読取装置１を示す縦断側面図である。画像読取装置１の筐体２の上面には、原稿(図示せず)を載置するためのコンタクトガラス３が設けられている。筐体２の内部には、光源４からコンタクトガラス３上に載置された原稿に向けて照射した光の戻り光をミラー５，６，７で順次反射し、結像レンズ８を通過した反射光をＣＣＤ９で受光することによって原稿の画像を読み取るようにした画像読み取り用の光学系部品１０が設けられている。光学系部品１０のうち、光源４，ミラー５は走行体である第１走行体１１に搭載されており、ミラー６，７は第２走行体１２に搭載されている。光源４は、電源ケーブルを介して電源（共に図示せず）から電力供給を受ける。
【００１５】
図２は、第１及び第２走行体１１，１２の駆動機構Ｍを示す斜視図である。第１及び第２走行体１１，１２の両側方には、駆動源であるステッピングモータ１３によって駆動されるワイヤ１４が設けられている。
【００１６】
ワイヤ１４は、ステッピングモータ１３の出力軸１６と平行に設けられた駆動軸１７の両端部付近に固定されたプーリ１８と、第１走行体１１及び第２走行体１２の走行方向(図２中矢印Ａ，Ｂ方向)の両端部側の定位置に回転自在に支持されたプーリ１９と、第２走行体１２の両端部に回転自在に支持されたプーリ２０とに掛け回されている。プーリ２０は、相対向する側板(図示せず)等により支持されている。ワイヤ１４の一方の端部１４ａは、筐体２に固定され、他方の端部１４ｂは金属製の引張バネ１５を介して筐体２に固定されている。この引張バネ１５によって、ワイヤ１４にテンションが付与される。
【００１７】
また、ワイヤ１４は、第１走行体１１のベース１１ａの両側でネジ２３によりベース１１ａにネジ止めされた板金製の保持部材２１によって、ベース１１ａに押し付けられて固定されている。つまり、ワイヤ１４は、ベース１１ａと保持部材２１とによって挟み止めされて第１走行体１１に固定されている。ここで、保持部材２１は、第１走行体１１を構成する部材である。これによって、ワイヤ１４と第１走行体１１とが連結されている。ステッピングモータ１３は、駆動軸１７の一方の端部に固定されたプーリ１７ａと出力軸１６とに掛け渡されたエンドレスベルト２２を介してワイヤ１４を駆動する。
【００１８】
ここに、ワイヤ１４、プーリ１８，１９，２０などにより駆動機構Ｍが構成されている。
【００１９】
この構造では、ステッピングモータ１３の回転を正回転させて駆動軸１７を正回転させた場合には、第１及び第２走行体１１，１２が原稿画像を読み取る方向(図中における矢印Ａ方向：往動方向)に２：１の速度比で走行し、ステッピングモータ１３を逆回転させて駆動軸１７を逆回転させた場合には、第１及び第２走行体１１，１２がホームポジションに向けて(図中における矢印Ｂ方向：復動方向)に戻るように２：１の速度比で走行する。
【００２０】
次に、ワイヤ１４の構造及び取り付け構造について図２ないし４に基づいて詳しく説明する。図３はワイヤ１４の第１走行体１１への取付構造を示す側面図、図４は筐体２へのワイヤ１４の取り付け構造を示す側面図である。
【００２１】
図３に示すように、ワイヤ１４は、基本的には、芯２４と、この芯２４の外周に形成され芯２４の外周を被覆する被覆層２５とによる２重構造であるが、後述するように部分的に被覆層２５が形成されず芯２４が露出している部分を有している。ここで、ワイヤ１４におけるプーリ１８，１９，２０に接触する部分には、被覆層２５が形成されている。芯２４は、第１及び第２走行体１１，１２を移動させるのに十分な強度を有し、導電性を有する材料で形成されている。具体的には、本実施の形態の芯２４の材料は、金属である。被覆層２５の材料は、例えば、ゴム、樹脂などを例示することができ、被覆層２５は、芯２４よりも導電性が低い。
【００２２】
ワイヤ１４の第１走行体１１への取り付け部分には、被覆層２５は形成されておらず、芯２４が露出している。よって、芯２４が第１走行体１１に直接接触した状態で、上述したように第１走行体１１に固定されている。これにより、第１走行体１１がワイヤ１４に電気的に接続されている。
【００２３】
図２に示すように、ワイヤ１４の一方の端部１４ａには、丸型端子２６が取り付けられており、この丸型端子２６が筐体２にネジ止めされ接地（アース）されている。ワイヤ１４の丸型端子２６が取り付けられている部分には、被覆層２５は形成されておらず、芯２４が丸型端子２６に直接接触している。これにより、ワイヤ１４が一方の端部１４ａにおいて、筐体２に電気的に接続されている。
【００２４】
図４に示すように、ワイヤ１４の他方の端部１４ｂには、丸型端子２７が取り付けられている。この丸型端子２７が引張バネ１５に固定され引張バネ１５を介して筐体２に接地（アース）されている。ワイヤ１４の丸型端子２７が取り付けられている部分には、被覆層２５は形成されておらず、芯２４が丸型端子２７に直接接触している。これにより、ワイヤ１４が他方の端部１４ｂにおいて、筐体２に電気的に接続されている。さらに、他方の端部１４ｂにおいて、ワイヤ１４は丸型端子２７から延出しており、延出した先端に別の丸型端子２８が取り付けられている。この丸型端子２８は、筐体２にネジ止めされて接地（アース）されている。この丸型端子２８が取り付けられているワイヤ１４の部分も、被覆層２５は形成されておらず、芯２４が丸型端子２８に直接接触している。よって、この部分でも、ワイヤ１４が筐体２に電気的に接続されている。この構造では、丸型端子２７と丸型端子２８との間では、ワイヤ１４にはテンションが掛かっていない状態である。
【００２５】
このように、第１走行体１１に搭載された光源４は、ワイヤ１４の芯２４によって筐体２にアースされている。
【００２６】
このような構成において、画像の読み取り動作を説明する。まず、ステッピングモータ１３が正回転して、第１走行体１１及び第２走行体１２が図中矢印Ａの方向へ走行する。第１走行体１１及び第２走行体１２の走行に伴って、光源４からコンタクトガラス３上に載置された原稿に向けて照射した光の戻り光をミラー５、ミラー６、ミラー７で順次反射し、結像レンズ８を通過した反射光を、ＣＣＤ９で受光することによってコンタクトガラス３上に載置した原稿画像を読み取る。
【００２７】
このような画像の読み取り動作において、光源４によって発生したノイズは、第１走行体１１からワイヤ１４の芯２４に伝わり、そして、ワイヤ１４の両端部１４ａ，１４ｂで丸型端子２６，２７，２８、引張バネ１５を経由して筐体２に逃げる。よって、光源４から発生したノイズによるＥＭＩ放射の発生を低減することができる。このようにＥＭＩ放射の発生を低減させる構成として、画像読取動作に必要なワイヤ１４を兼用しているので、簡単で安価な構成でＥＭＩ放射の低減が実現される。
【００２８】
このとき、ワイヤ１４の両端部１４ａ，１４ｂが筐体２に接地されているので、例えばワイヤ１４の一方の端部１４ａ又は１４ｂだけを筐体２に接地させた場合に比べて、ノイズの筐体２への伝達がより促進され、ＥＭＩ放射の低減効果が向上する。
【００２９】
また、ワイヤ１４のうちプーリ１８，１９，２０に接する部分には、被覆層２５が形成されているので、金属製の芯２４がプーリに直接当たることがなく、プーリ１８，１９，２０の破損が防止されている。
【００３０】
次に、本発明の第２の実施の形態を図５に基づいて説明する。なお、前述した実施の形態と同一部分は同一符号で示し説明も省略する。
【００３１】
図５は、本実施の形態の複写装置３１を示す模式図である。複写装置３１は、原稿の画像を読み取る第１の実施の形態の画像読取装置１と、画像読取装置１で読み取られた原稿の画像を記録材である用紙に形成するプリンタ装置３２とで構成されている。プリンタ装置３２は、露光、現像、転写、定着という周知の電子写真方式のプロセスによって用紙に画像形成がなされる。
【００３２】
このような複写装置３１では、画像読取装置１でのＥＭＩ放射が低減されているので、複写装置３１としてもＥＭＩ放射の低減が図られている。
【図面の簡単な説明】
【００３３】
【図１】本発明の第１の実施の形態の画像読取装置を示す縦断側面図である。
【図２】第１走行体及び第２走行体の駆動機構を示す斜視図である。
【図３】ワイヤの第１走行体への取付構造を示す側面図である。
【図４】筐体へのワイヤの取り付け構造を示す側面図である。
【図５】本発明の第２の実施の形態の複写装置を示す模式図である。
【符号の説明】
【００３４】
１      画像読取装置
２      筐体
４      光源
１１    第１走行体（走行体）
１３    ステッピングモータ（駆動源）
１４    ワイヤ
１４ａ  端部
１４ｂ  端部
２４    芯
２５    被覆層
３１    複写装置
３２    プリンタ装置
Ｍ      駆動機構
【図１】
2005266268.tif 000003
【図２】
2005266268.tif 000004
【図３】
2005266268.tif 000005
【図４】
2005266268.tif 000006
【図５】
2005266268.tif 000007